(57)【要約】【課題】失防止機能が適切に作用するとともに、電源への負荷を軽減可能な撮影装置を提供する。【解決手段】撮影レンズ４の入射側の面４ａを覆うように撮影レンズ４に装着される着脱自在のレンズキャップ５を備えた撮像装置１において、レンズキャップに読取用の電波を無線送信する近接無線送信手段６を組み込むとともに、近接無線送信手段６から送信された電波を装置本体２側に内蔵した受信手段８で受信可能とし、近接無線送信手段６からの送信電波を受信手段８が受信できない時、または受信感度が所定以下の場合に警告手段１２〜１４を作動して警告を行う。【選択図】図１
2007274515.tif 000002
【特許請求の範囲】
【請求項１】
撮影レンズの入射側の面を覆うように、前記撮影レンズまたは前記撮影レンズが設けられる装置本体に装着される着脱自在のレンズキャップを備えた撮像装置において、
前記レンズキャップに組み込まれた読取用の電波を無線送信する近接無線送信手段と、
前記撮影レンズまたは前記装置本体側に内蔵され前記近接無線送信手段から送信された電波を受信する受信手段と、
前記近接無線送信手段からの送信電波を前記受信手段が受信できない時、または受信感度が所定以下の場合に警告を行う警告手段を有することを特徴とする撮像装置。
【請求項２】
前記近接無線送信手段からの電波受信のタイミングを前記装置本体側に設けられている制御手段で制御することを特徴とする請求項１記載の撮像装置。
【請求項３】
前記電波受信のタイミングは、前記装置本体の電源のオン／オフタイミングから所定時間以内の時間であることを特徴とする請求項１または２記載の撮像装置。
【請求項４】
前記レンズキャップの着脱を検出する着脱検出手段を有し、
前記着脱検出手段により前記レンズキャップの離脱状態を検出したときから所定時間の間、前記近接無線送信手段からの電波を前記受信手段で受信することを特徴とする請求項１記載の撮像装置。
【請求項５】
前記警告手段が、前記装置本体に備えられた音声出力手段であることを特徴とする請求項１ないし４何れかに記載の撮像装置。
【請求項６】
前記警告手段が、前記装置本体に備えられた発光手段であることを特徴とする請求項１乃至４の何れかに記載の撮像装置。
【請求項７】
撮像装置に装着あるいは有線または無線にて接続して使用する周辺機器に組込まれた読取用の電波を無線送信する近接無線送信手段と、
前記近接無線送信手段から送信された電波を送信する受信手段と、
前記近接無線送信手段からの送信電波を前記受信手段が受信できない時、または受信感度が所定以下になった場合に警告を行う警告手段を有することを特徴とする撮像装置。
【請求項８】
前記電波受信のタイミングは、前記装置本体の電源のオン／オフタイミングから所定時間以内の時間であることを特徴とする請求項７記載の撮像装置。
【請求項９】
前記周辺機器の接続または装着が解除されたことを検出する検出手段を有し、
前記検出手段が前記周辺機器の接続または装着が解除されたことを検出した後から所定時間の間、前記近接無線送信手段からの電波を前記受信手段で受信することを特徴とする請求項７記載の撮像装置。
【請求項１０】
前記近接無線送信手段からの送信電波の受信を間欠的に行うことを特徴とする請求項１ないし９の何れかに記載の撮像装置。
【請求項１１】
前記近接無線送信手段が無線タグであることを特徴とする請求項１ないし１０の何れかに記載の撮像装置。
【発明の詳細な説明】
【技術分野】
【０００１】
本発明は撮像装置に関し、詳しくは、撮像装置本体に着脱可能な周辺装置や撮像装置本体に設けられる撮影レンズのレンズキャップ等の付属品の紛失防止機能を備えた撮像装置に関する。
【背景技術】
【０００２】
撮影レンズを通して入射した光により形成された被写体の光学像を撮影素子により撮影する撮影装置が知られている。このような撮像装置は、付属品あるいはオプションとして、撮影レンズの前面を覆うように装着される着脱自在のレンズキャップを備えている。レンズキャップは、撮影レンズを入射側のレンズ面を保護するために非撮影時にはレンズに装着されていて、撮影時はレンズから取り外すため、紛失する可能性があった。そこで、レンズキャップを紐などの連結部材を介して装置本体と接続することが行われているが、連結部材が撮影時に操作の邪魔になる場合や、誤って撮影した画像に移り込むことがあった。
【０００３】
そこで、特許文献１では、撮像装置の撮影レンズからレンズキャップを外して所定時間経過すると警告を発するように構成した技術が開示されている。特許文献２には、レンズキャップの装着状態を検出するのに近接無線送信手段となるＩＣタグを用いる技術が開示されている。特許文献３には、無線送信手段となる特定のＩＣタグが装着された監視対象品が所定距離離れると、ＩＣタグからの信号を携帯電話で受信して監視対象品の所有者に紛失や盗難を知られる技術が開示されている。
【０００４】
【特許文献１】特開２００１−５０８４号公報
【特許文献２】特開２００５−１４８５６１号公報
【特許文献３】特開２００５-１１０５６号公報
【発明の開示】
【発明が解決しようとする課題】
【０００５】
特許文献１の構成であると、レンズキャップを外すとその位置や撮影行動の有無にかかわらず所定時間が経過すると警告されるので、装置操作者には煩わしく感じることがある。特許文献３の構成では、受信手段として携帯電話を用いているので、その受信システムが大がかりとなるとともに携帯電話を忘れた場合、紛失や盗難を知ることができない。このようなレンズキャップなどの付属品の紛失防止機能を無条件に作動させてしまうと、撮影装置の電源にかかる負荷が大きくなり、電源の消費が激しく撮影時間が短くなってしまうことになる。また、撮影装置には、その機能を補うための撮影装置用の各種周辺機器が有線、無線などで接続されて使用される場合もあるので、このような周辺機器の紛失防止も考慮する必要がある。
【０００６】
本発明は、紛失防止機能が適切に作用するとともに、電源への負荷を軽減可能な撮影装置を提供することを、その目的とする。
【課題を解決するための手段】
【０００７】
上記目的を達成するため、請求項１の発明は、撮影レンズの入射側の面を覆うように、撮影レンズまたは撮影レンズが設けられる装置本体に装着される着脱自在のレンズキャップを備えた撮像装置において、レンズキャップに組み込まれた読取用の電波を無線送信する近接無線送信手段と、撮影レンズまたは装置本体側に内蔵され近接無線送信手段から送信された電波を受信する受信手段と、近接無線送信手段からの送信電波を受信手段が受信できない時、または受信感度が所定以下の場合に警告を行う警告手段を有することを特徴としている。
【０００８】
請求項２の発明は、請求項１記載の撮像装置において、近接無線送信手段からの電波受信のタイミングを装置本体側に設けられている制御手段で制御することを特徴としている。  
請求項３の発明は、請求項１または２記載の撮像装置において、電波受信のタイミングが装置本体の電源のオン／オフタイミングから所定時間以内の時間であることを特徴としている。
【０００９】
請求項４の発明は、請求項１記載の撮像装置において、レンズキャップの着脱を検出する着脱検出手段を有し、着脱検出手段によりレンズキャップの離脱状態を検出したときから所定時間の間、近接無線送信手段からの電波を受信手段で受信することを特徴としている。
【００１０】
請求項５の発明は、請求項１ないし４何れかに記載の撮像装置において、警告手段が装置本体に備えられた音声出力手段であることを特徴としている。  
請求項６の発明は、請求項１乃至４の何れかに記載の撮像装置において、警告手段が装置本体に備えられた発光手段であることを特徴とする。
【００１１】
請求項７の発明は、撮像装置に装着あるいは有線または無線にて接続して使用する周辺機器に組込まれた読取用の電波を無線送信する近接無線送信手段と、近接無線送信手段から送信された電波を送信する受信手段と、近接無線送信手段からの送信電波が受信出来なくなった時、または受信感度が所定以下になった場合に警告を行う警告手段を有することを特徴としている。
【００１２】
請求項８の発明は、請求項７記載の撮像装置において、電波受信のタイミングが装置本体の電源のオン／オフタイミングから所定時間以内の時間であることを特徴としている。
請求項９の発明は、請求項７記載の撮像装置において、周辺機器の接続または装着が解除されたことを検出する検出手段を有し、検出手段が周辺機器の接続または装着が解除されたことを検出した後から所定時間の間、近接無線送信手段からの電波を受信手段で受信することを特徴とする。
【００１３】
請求項１０の発明は、請求項１ないし９の何れかに記載の撮像装置において、近接無線送信手段からの送信電波の受信を間欠的に行うことを特徴としている。  
請求項１１の発明は、請求項１ないし１０の何れかに記載の撮像装置において、近接無線送信手段が無線タグであることを特徴としている。
【発明の効果】
【００１４】
請求項１記載の発明によれば、撮影レンズまたは装置本体側に内蔵された受信手段が、レンズキャップに組み込まれた近接無線送信手段からの送信電波を受信できなく時、または受信感度が所定以下の場合に警告が行われるので、装置操作者のポケットの中や鞄の中などにレンズキャップを入れた状態など、装置本体とレンズキャップが近くにある場合には警告を発することなく、落とした場合や置き忘れた場所から離れた場合などのように装置本体とレンズキャップとが遠くなると警告が行われるので、装置操作者には煩わしく感じることがなく、紛失防止機能を適切に作用させことができる。
【００１５】
請求項２記載の発明によれば、近接無線送信手段からの電波受信のタイミングを装置本体側に設けられている制御手段で制御するので、既存の制御手段を使用できるので、コスト低減を図れるとともに、近接無線送信手段からの電波の受信タイミングを自由に設定することができる。
【００１６】
請求項３記載の発明によれば、電波受信のタイミングが装置本体の電源のオン／オフタイミングから所定時間以内の時間としたので、レンズキャップ紛失の可能性が高い時間帯においてレンズキャップからの電波を受信することで、無駄な消費電力の使用を防止することができる。
【００１７】
請求項４記載の発明によれば、レンズキャップの離脱状態が検出されたときから所定時間の間、近接無線送信手段からの電波を受信するので、レンズキャップ紛失の可能性が高い時間帯においてレンズキャップからの電波を受信することで、無駄な消費電力の使用を防止することができる。
【００１８】
請求項５の発明によれば、警告手段を装置本体に備えられた音声出力手段とすると、撮影装置がシャッター音や起動音の発生に備えている既存の音声出力手段を利用できるので、装置使用者に分かり易い警告を行うことができる。
【００１９】
請求項６記載の発明によれば、警告手段が装置本体に備えられた発光手段であるので、撮影装置が備えているストロボやＬＥＤなどの発光手段を利用できるのでコスト低減を図れるとともに、装置使用者が撮影装置から離れた状態にあっても、レンズキャップの紛失を知らせることができ、装置使用者に分かり易い警告を行うことができる。
【００２０】
請求項７記載の発明によれば、受信手段が、撮像装置に装着あるいは有線または無線にて接続して使用する周辺機器に組込まれた読取用の電波を無線送信する近接無線送信手段からの送信電波を受信できなく時、または受信感度が所定以下の場合に警告が行われるので、装置操作者のポケットの中や鞄の中などに周辺機器を入れた状態など、装置本体と周辺機器が近くにある場合には警告を発することなく、落とした場合や置き忘れた場所から離れた場合などのように装置本体と周辺機器とが遠くなると警告が行われるので、装置操作者には煩わしく感じることがなく、紛失防止機能を適切に作用させことができる。
【００２１】
請求項８記載の発明によれば、電波受信のタイミングが装置本体の電源のオン／オフタイミングから所定時間以内の時間としたので、周辺機器紛失の可能性が高い時間帯において周辺機器からの電波を受信することで、この時間帯を周辺機器紛失防止の検索期間とすることで無駄な消費電力の使用を防止することができる。
【００２２】
請求項９記載の発明によれば、検出手段が周辺機器の接続または装着が解除されたことを検出した後から所定時間の間、近接無線送信手段からの電波を受信するので、この時間帯を周辺機器紛失防止の検索期間とすることで無駄な消費電力の使用を防止することができる。  
請求項１０記載の発明によれば、近接無線送信手段からの送信電波の受信を間欠的に行うので、消費電力が低減して無駄な消費電力の使用を防止することができる。
【発明を実施するための最良の形態】
【００２３】
以下、本発明の実施の形態について図面を用いて説明する。
(第１の実施形態)
図１は、本発明が適用された撮像装置としての一眼レフタイプのカメラを示す。このカメラ１は、カメラボディ（装置本体）２、撮影レンズとなる複数のレンズ群３を備えた交換レンズ４、レンズキャップ５を備えている。交換レンズ４はオートフォーカス機能を備えたもので、レンズ群３を駆動する駆動モータ１６と、カメラボディ２との接続端子１７を備えている。
【００２４】
レンズキャップ５は、交換レンズ４の入射側の面となる前面４ａを覆うように、交換レンズ４に着脱自在に装着されている。交換レンズ４とレンズキャップ５には、読取用の電波を無線送信する近接無線送信手段としての周知の非接触タイプＩＣタグ６、７がそれぞれ組み込まれている。このＩＣタグ６，７は１〜２ｍ程度の近接送信範囲のものである。
【００２５】
カメラボディ２には、ＩＣタグ６，７から送信された電波を受信する受信手段となると周知のＩＣタグリーダ８、制御手段９、カメラ１の電源１０をオン／オフするためのメインスイッチ１１、音声データを発音するための音声発生手段１２、被写体を照明のための発光手段となるストロボ装置１３、セルフタイマ表示用のＬＥＤ装置１４、及びレンズ装着時にレンズ側の接続端子１７と接続する接続端子１５が搭載されている。
【００２６】
制御手段９は、ＣＰＵ、メモリ、タイマーを備えた周知のコンピュータで構成されていて、ＩＣタグリーダ８、電源１０、メインスイッチ１１、音声発生手段１２、ストロボ装置１３、ＬＥＤ装置１４、接続端子１５と電気的に接続されていて、カメラのすべての動作を制御するとともに、交換レンズ４やレンズキャップ５の紛失防止機能も備えている。
【００２７】
すなわち、制御手段９はＩＣタグ６，７からの送信電波をＩＣタグリーダ８が受信できない時、または受信感度が所定以下の場合に警告を行うようにしている。この警告手段には、音声発生手段１２、ストロボ装置１３、ＬＥＤ装置１４の少なくとも１つを用いる制御手段９は、音声発生手段１２による音声による警告メッセージの出力、ストロボ装置１３の発光、ＬＥＤ装置１４の点灯や点滅が行われるように、これら音声発生手段１２、ストロボ装置１３、ＬＥＤ装置１４の作動を制御する。制御手段９は、電波受信のタイミングをメインスイッチ１１がオン状態になったから所定時間以内に実行するように制御する。このため、制御手段９のメモリには、所定時間Ｔと所定受信感度レベルＤが予め記憶されている。
【００２８】
このような構成のカメラ１の紛失防止機能について、図２に示すフローチャートに沿って説明する。
【００２９】
この紛失防止機能はステップＲ１に示すようにメインスイッチ１１がオンされると開始されてステップＲ２に進む。ステップＲ２では、現在のカメラ１の状態、例えば、ＣＰＵの内部ステイタスがチェックされ、休止状態であればステップＲ３に進んでカメラ１の起動処理を行い、撮影待機動作であれば、ステップＲ４に進んで休止処理が行われる。起動処理、休止処理の主な動きとしては、カメラボディ２、交換レンズ４それぞれの接続端子１５，１７を通じて、交換レンズ４内のレンズ駆動用モータ１６の駆動を制御し、それぞれの基準位置に持ってくると言った動作などである。
【００３０】
起動処理、休止処理が実行されると、それぞれステップＲ５、Ｒ６に進み、ＩＣタグ６，７からの送信電波をＩＣタグリーダ８で受信し、ステップＲ７、Ｒ８において受信結果を判断する。そして、受信感度が所定受信感度レベルＤ以上の場合には。それぞれステップＲ９、Ｒ１０に進み、メインスイッチ１１がオンされてからの所定時間経過したか否かを判断する。そしてステップＲ９において所定時間Ｔを経過するまではＩＣタグ６，７から送信される電波を受信するようにＩＣタグリーダ８を駆動して交換レンズ４及びレンズキャップ５の状態をチェックし、所定時間Ｔが経過すると撮影に備えた待機状態としてこの制御を終える。ステップＲ１０でも同様に所定時間Ｔを経過するまではＩＣタグ６，７から送信される電波を受信するようにＩＣタグリーダ８を駆動して交換レンズ４及びレンズキャップ５の状態をチェックし、所定時間Ｔが経過すると休止状態としてこの制御を終える。なお、本形態において、ＩＣタグリーダ８によるＩＣタグ６，７からの送信電波の受信間隔は、１０秒間隔で実行するように設定されている。
【００３１】
一方、ステップＲ７，Ｒ８において、ＩＣタグ６，７から送信される電波が受信できない場合、所定情報が読み出せない場合、あるいは受信感度が所定受信感度レベルＤ以下の場合には、レンズキャップ５や交換レンズ４を置き忘れた場合や予期せず落としたものと判断し、ステップＲ１１に進んで警告処理を行う。本形態では、ストロボ装置１３の間欠発光動作による警告と音声発生手段１２から発せられる音声による警告を、設定時間の間だけ実行する。そしてステップＲ１２において警告時間が設定時間を経過すると、ステップＲ１３においてカメラ１のステイタスが確認され、そのステイタスに合わせた状態で、この制御を終える。警告時間としては、例えば図３に示すように、音声発生手段１２から発せられる音声を１０秒間とし、ストロボ装置１３の発光間隔を１秒間隔とし、設定時間に達するまで継続して行う。
【００３２】
このように、レンズキャップ５や交換レンズ４に組み込まれたＩＣタグ６，７から送信される電波が受信できない場合、所定情報が読み出せない場合、あるいは受信感度が所定受信感度レベルＤ以下の場合には、レンズキャップ５や交換レンズ４を置き忘れた場合や予期せず落としたものと判断し、警告処理が行われるので、装置操作者のポケットの中や鞄の中などにレンズキャップ５を入れた状態など、カメラボディ２とレンズキャップ５や交換レンズ４が近くにある場合には警告を発することなく、落とした場合や置き忘れた場所から離れた場合などのように、レンズキャップ５や交換レンズ４がカメラボディ２と遠くなると警告が行われるので、装置操作者には煩わしく感じることがなく、紛失防止機能を適切に作用させことができる。また、ＩＣタグリーダ８による受信タイミングをカメラボディ２に設けられている制御手段９で制御するので、既存の制御手段を使用できるので、コスト低減を図れるとともに、ＩＣタグ６，７からの電波の受信タイミングを自由に設定することができる。電波受信のタイミングがカメラボディ２のメインスイッチ１１のオン／オフタイミングから検出時間となる所定時間Ｔ以内の時間（例えば３分）としたので、交換レンズ４やレンズキャップ５の紛失の可能性が高い時間帯に限定してＩＣタグ６，７からの電波を受信するため、電源１０の無駄な消費電力の使用を防止することができ、撮影可能時間が短くなることを抑制することができる。
【００３３】
本形態ではカメラ１による撮影動作、画像処理動作、記録動作などの動作説明及び、ブロック図などは、警告処理とは直接関係ないので省略している。また、レンズキャップ５、交換レンズ４に限らず、周辺機器となる外付けストロボ装置、レンズフード、外付けファインダなどにＩＣタグを組み込み、同様の構成としてもよい。また検出間隔１０秒、検出時間も本携帯の時間に限らず、長くしても良いし短くしても良い。あるいは、別途ＳＷやメニュー画面により可変できる構成としてもよい。
(第２の実施形態)
図４は、本発明が適用された撮像装置としてのコンパクトタイプのカメラを示す。このカメラ１００は、撮影レンズ１０４が設けられたカメラボディ（装置本体）１０２、撮影レンズ１０４の入射側の面となる前面１０４ａを覆うように、カメラボディ１０２に着脱自在に装着されるレンズキャップ１０５を備えている。
【００３４】
レンズキャップ１０５には、読取用の電波を無線送信する近接無線送信手段としての周知の非接触タイプＩＣタグ１０６がそれぞれ組み込まれている。このＩＣタグ１０６は１〜２ｍ程度の近接送信範囲のものである。レンズキャップ１０５には、着脱検出用の爪１１６が設けられている。
【００３５】
カメラボディ１０２には、ＩＣタグ１０６から送信された電波を受信する受信手段となると周知のＩＣタグリーダ１０８、制御手段１０９、カメラ１００の電源１０１をオン／オフするためのメインスイッチ１１１、音声データを発音するための音声発生手段１１２、被写体を照明のための発光手段となるストロボ装置１１３、暗時のオートフォーカス機能を補助するための補助光用ＬＥＤ装置１１４、外部の周辺機器１１８と接続するためのＵＳＢ端子１１５、及びレンズキャップ１０５の着脱を検出する着脱検出手段１１７が搭載されている。着脱検出手段１１７は、レンズキャップ１０５が装着されている場合には、着脱検出用の爪１１６によってオフ状態とされ、レンズキャップ１０５が取り外されると、オンするスイッチで構成されている。周辺機器１１８には、読取用の電波を無線送信する近接無線送信手段としての周知の非接触タイプＩＣタグ１０７が組み込まれている。
【００３６】
制御手段１０９は、ＣＰＵ、メモリ、タイマーを備えた周知のコンピュータで構成されていて、図５に示すように、ＩＣタグリーダ１０８、電源１０１、メインスイッチ１１１、音声発生手段１１２、ストロボ装置１１３、補助光用ＬＥＤ装置１１４、ＵＳＢ端子１１５、着脱検出手段１１７が電気的に接続されていて、カメラ１００のすべての動作を制御するとともに、レンズキャップ１０５や周辺機器１１８の紛失防止機能も備えている。
【００３７】
すなわち、制御手段１０９はＩＣタグ１０６からの送信電波をＩＣタグリーダ１０８が受信できない時、または受信感度が所定以下の場合に、音声発生手段１１２、ストロボ装置１１３、補助光用ＬＥＤ装置１１４の少なくとも１つを用い、音声発生手段１１２による音声による警告メッセージの出力、ストロボ装置１１３の発光、補助光用ＬＥＤ装置１１４の点灯や点滅が行われるように、音声発生手段１１２、ストロボ装置１１３の発光、補助光用ＬＥＤ装置１１４を制御する。制御手段１０９は、着脱検出手段１１７によりレンズキャップ１０５の離脱状態を検出したときから所定時間の間、ＩＣタグ１０６からの電波を受信手段で受信するように制御する。このため、制御手段１０９のメモリには、所定時間Ｔ１と所定受信感度レベルＤ１が予め記憶されている。
【００３８】
このような構成のカメラ１００の紛失防止機能について、図６に示すフローチャートに沿って説明する。  
この紛失防止機能はステップＳ１に示すようにメインスイッチ１１１がオンされるとステップＳ２に進み、着脱検出手段１１７によるレンズキャップ１０５の着脱状態が判断される。ここで、着脱検出手段１１７がオン状態であると、レンズキャップ１０５が離脱状態であると判断して、ステップＳ３に進んで、ＩＣタグ１０６からの送信電波をＩＣタグリーダ１０８で受信し、ステップＳ４において受信結果を判断する。そして、受信感度が所定受信感度レベルＤ１以上の場合には、ステップＳ５に進んで着脱検出手段１１７がオンされてからの所定時間経過したか否かを判断する。ここで所定時間Ｔ１を経過するまではＩＣタグ１０６から送信される電波を受信するようにＩＣタグリーダ８を駆動してレンズキャップ５の状態をチェックし、所定時間Ｔ１が経過すると休止状態としてこの制御を終了する。なお、本形態において、ＩＣタグリーダ１０８によるＩＣタグ１０６からの送信電波の受信間隔は、１０秒間隔で実行するように設定されている。
【００３９】
ステッＳ４において、ＩＣタグ１０６から送信される電波が受信できない場合、所定情報が読み出せない場合、あるいは受信感度が所定受信感度レベルＤ１以下の場合には、レンズキャップ１０５を置き忘れた場合や予期せず落としたものと判断し、ステップＳ６に進んで警告処理を行う。本形態では、ストロボ装置１１３の間欠発光動作による警告と音声発生手段１１２から発せられる音声による警告を、共に設定時間（１０秒）間だけ実行する。そしてステップＳ７において警告時間が設定時間（１０秒）を経過すると、ステップＳ８においてカメラ１００の現在の状態、例えば、ＣＰＵの内部ステイタスがチェックされ、撮影待機状態であれば、カメラ１００撮影待機状態にしてこの制御を終え、休止状態であればカメラ１００を休止状態としてこの制御を終える。
【００４０】
このように、レンズキャップ１０５に組み込まれたＩＣタグ１０６から送信される電波が受信できない場合、所定情報が読み出せない場合、あるいは受信感度が所定受信感度レベルＤ以下の場合には、レンズキャップ１０５を置き忘れた場合や予期せず落としたものと判断し、警告処理が行われるので、装置操作者のポケットの中や鞄の中などにレンズキャップ１０５を入れた状態など、カメラボディ１０２とレンズキャップ１０５が近くにある場合には警告を発することなく、落とした場合や置き忘れた場所から離れた場合などのように、レンズキャップ１０５がカメラボディ１０２と遠くなると警告が行われるので、装置操作者には煩わしく感じることがなく、紛失防止機能を適切に作用させことができる。また、ＩＣタグリーダ１０８による受信タイミングをカメラボディ１０２に設けられている制御手段１０９で制御するので、既存の制御手段を使用できるので、コスト低減を図れるとともに、ＩＣタグ１０６からの電波の受信タイミングを自由に設定することができる。電波受信のタイミングがカメラボディ１０２に設けた着脱検出手段１１７がオンしてから検出時間となる所定時間Ｔ１以内の時間（例えば３分）としたので、レンズキャップ１０５の紛失の可能性が高い時間帯に限定してＩＣタグ１０６からの電波を受信するため、電源１０１の無駄な消費電力の使用を防止することができ、撮影可能時間が短くなることを抑制することができる。
【００４１】
本形態では、ＵＳＢ端子１１５を介して周辺機器１１８をカメラボディ１０２に接続するようにしている。このため、制御手段１０９は、ＵＳＢ端子１１５を介して周辺機器１１８と通信可能とされていて、周辺機器１１８が周辺機器１１８に取り付けられているか離脱しているかを判断可能とされている。このため、制御手段１０９のＲＯＭには、ＵＳＢ端子１１５に周辺機器１１８が接続された状態から周辺機器１１８から取り外されてからの所定時間Т２が予め設定されている。
【００４２】
このような機能を有する制御手段１０９を備えたカメラ１００の紛失防止機能について、図７に示すフローチャートに沿って説明する。
【００４３】
この紛失防止機能はステップＵ１に示すようにメインスイッチ１１１がオンされるとステップＵ２に進み、ＵＳＢ端子１１５に対する周辺機器１１８の着脱状態が判断される。ここで、ＵＳＢ端子１１５に周辺機器１１８が接続されていないことを制御手段１０９が判断するとステップＵ３に進んで、ＩＣタグ１０７からの送信電波をＩＣタグリーダ１０８で受信し、ステップＵ４において受信結果を判断する。そして、受信感度が所定受信感度レベルＤ１以上の場合には、ステップＵ５に進んで周辺機器１１８が離脱してから所定時間経過したか否かを判断する。ここで所定時間Ｔ１を経過するまではＩＣタグ１０７から送信される電波を受信するようにＩＣタグリーダ１０８を駆動して周辺機器１１８の状態をチェックし、所定時間Ｔ２が経過すると休止状態としてこの制御を終了する。なお、本形態において、ＩＣタグリーダ１０８によるＩＣタグ１０７からの送信電波の受信間隔は、１０秒間隔で実行するように設定されている。
【００４４】
ステップＵ４において、ＩＣタグ１０７から送信される電波が受信できない場合、所定情報が読み出せない場合、あるいは受信感度が所定受信感度レベルＤ１以下の場合には、周辺機器１１８を置き忘れた場合や予期せず落としたものと判断し、ステップＵ６に進んで警告処理を行う。本形態では、補助光用ＬＥＤ装置１１４を間欠発光動作による警告を設定時間（１０秒）間だけ実行する。そしてステップＵ７において警告時間が設定時間（１０秒）を経過すると、ステップＵ８においてカメラ１００の現在の状態、例えば、ＣＰＵの内部ステイタスがチェックされ、撮影待機状態であれば、カメラ１００撮影待機状態にしてこの制御を終え、休止状態であればカメラ１００を休止状態としてこの制御を終える。
【００４５】
本形態ではカメラ１００による撮影動作、画像処理動作、記録動作などの動作説明及び、ブロック図などは、警告処理とは直接関係ないので省略している。また、レンズキャップ１０５に限らず、外付けストロボ装置、レンズフード、外付けファインダなどにＩＣタグを組み込み、同様の構成としてもよい。
【００４６】
本形態では、着脱検出手段１１７がオンされてからの所定時間Т１、あるいは周辺機器１１８が取り外されてからの所定時間Т２間での時間内で、離脱したものがカメラボディ１０２に近くか遠いかを判断して警告するか否かを判断しているが、第１の実施の形態同様に、メインスイッチ１１１がオンしてからの設定時間Т内で判断するようにしても良い。
【００４７】
また、所定時間Ｔ、Т１、Т２や検出サイクル時間は各実施の形態に限定されるものではなく、各形態の設定時間よりも長くしても良いし、短くしても良い。また、この設定時間は、各カメラボディ２，１０２に設定用のスイッチを設け、適宜変更できるようにしても良い。
【００４８】
また、ＩＣタグ６，７，１０６，１０７に電波強度を切り替えられるものを使用する場合には、着脱検出手段１１７を設けず、レンズキャップ５，１０５の着脱状態を、電波強度等を切替えることで検出できる構成としてもよい。その一例を図８に示す。図８において、ステップＶ１では、ＩＣタグの電波強度を弱に設定する。この時の電波の出力はＩＣタグリーダ８、１０８による受信可能範囲が数センチメートルの範囲とする。そして、ステップＶ２において制御手段９，１０９によってレンズキャップ５，１０５を検出不能の場合には、ステップＶ３でＩＣタグの電波強度を強に設定すればよい。この時の電波の出力はＩＣタグリーダ８、１０８による受信可能範囲が１〜２ｍ程度とする。このフローチャートによる処理は、図６，図７に示すフローチャートに適宜組み込んでもよいし、別なルーチンとして処理しても良い。
【図面の簡単な説明】
【００４９】
【図１】本発明の第１の実施形態を示す撮像装置の全体構成図である。
【図２】第１の実施形態における紛失防止制御の一例を示すフローチャートである。
【図３】警告手段の開国に関するタイミングチャートである。
【図４】本発明の第２の実施形態を示す撮像装置の全体構成図である。
【図５】第２の実施形態を制御系に構成を示すブロックである。
【図６】第２の実施形態におけるレンズキャップ紛失防止制御の一例を示すフローチャートである。
【図７】第２の実施形態における周辺機器紛失防止制御の一例を示すフローチャートである。
【図８】電波強度を変更するためのフローチャートである。
【符号の説明】
【００５０】
１，１００    撮像装置
２，１０２    装置本体
４，１０４    撮影レンズ
４ａ，１０４ａ    入射側面
５，１０５    レンズキャップ
６，１０６    近接無線送信手段
８，１０８    受信手段
９，１０９    制御手段
１２，１１２    音声出力手段（警告手段）
１３，１１３    発光手段（警告手段）
１４，１１４    発光手段（警告手段）
１１７    着脱検出手段
１１８    周辺機器
Ｔ，Ｔ１，Ｔ２    所定時間
【図１】
2007274515.tif 000003
【図２】
2007274515.tif 000004
【図３】
2007274515.tif 000005
【図４】
2007274515.tif 000006
【図５】
2007274515.tif 000007
【図６】
2007274515.tif 000008
【図７】
2007274515.tif 000009
【図８】
2007274515.tif 000010